(57)【要約】【課題】道路の舗装面との境界線上の目地における防草能力を有することができるブロック、ブロックの製造方法、及びブロックを用いた施工方法を提供する。【解決手段】ブロック１１は、道路に設置され、道路の舗装面Ａとの境界に接する部分に、境界線に沿う第１溝が形成されている。第１溝の内部には、境界線方向に直交する断面において山形１６００の一部が形成されている。第１溝と、道路の舗装部分に形成され、境界線に沿う第２溝とからなる切り込み溝は、境界線方向に直交する断面がＷ字形状となるように形成されていてもよい。【選択図】図３−２
2020051252.tif 000002
【特許請求の範囲】
【請求項１】
道路に設置され、前記道路の舗装面との境界に接する部分に、境界線に沿う第１溝が形成され、
前記第１溝の内部には、境界線方向に直交する断面において山形の部分の少なくとも一部が形成されている、ブロック。
【請求項２】
前記第１溝と、前記道路の舗装部分に形成され、前記境界線に沿う第２溝とは、前記断面がＷ字形状となるように形成されている、請求項１に記載のブロック。
【請求項３】
道路に設置され、前記道路の舗装面との境界に接する部分に、境界線に沿う第１溝が形成されているブロックの製造方法であって、
カッター工法により、前記境界線上の目地に、境界線方向に直交する断面において山形の部分の少なくとも一部を内部に有する前記第１溝と、前記道路の舗装部分に形成され、前記境界線に沿う第２溝とを形成する工程を含む、ブロックの製造方法。
【請求項４】
前記工程では、前記第１溝と前記第２溝とを、前記断面がＷ字形状となるように形成する、請求項３に記載のブロックの製造方法。
【請求項５】
道路に設置され、前記道路の舗装面との境界に接する部分に、境界線に沿う第１溝が形成されているブロックを用いた施工方法であって、
前記道路に前記ブロックを設置する第１工程と、
カッター工法により、前記境界線上の目地に、境界線方向に直交する断面において山形の部分の少なくとも一部を内部に有する前記第１溝と、前記道路の舗装部分に形成され、前記境界線に沿う第２溝とを形成する第２工程と、
を含む、ブロックを用いた施工方法。
【請求項６】
前記第２工程では、前記第１溝と前記第２溝とを、前記断面がＷ字形状となるように形成する、請求項５に記載のブロックを用いた施工方法。
【請求項７】
前記第２工程により形成された前記第１溝及び前記第２溝の内面の一部に、防草シートを被覆させる第３工程と、
前記第１溝及び前記第２溝に、補修材を充填する第４工程と、
を含む、請求項５又は６に記載のブロックを用いた施工方法。
【発明の詳細な説明】
【技術分野】
【０００１】
本発明は、ブロック、ブロックの製造方法、及びブロックを用いた施工方法に関する。
【背景技術】
【０００２】
道路の舗装面とブロックとの境界線上の目地からは雑草が生えやすい。
【先行技術文献】
【特許文献】
【０００３】
【特許文献１】特開２０１６−１０８７４８号公報
【特許文献２】特開２０１４−０９８２３１号公報
【発明の概要】
【発明が解決しようとする課題】
【０００４】
道路の舗装面とブロックとの境界線上の目地での防草が望まれる。
【０００５】
本発明は、上述の事情の下になされたもので、道路の舗装面との境界線上の目地における防草能力を有することができるブロック、ブロックの製造方法、及びブロックを用いた施工方法を提供することを目的とする。
【課題を解決するための手段】
【０００６】
上述の目的を達成するために、本発明の第１の観点に係るブロックは、
道路に設置され、前記道路の舗装面との境界に接する部分に、境界線に沿う第１溝が形成され、
前記第１溝の内部には、境界線方向に直交する断面において山形の部分の少なくとも一部が形成されている。
【０００７】
前記第１溝と、前記道路の舗装部分に形成され、前記境界線に沿う第２溝とは、前記断面がＷ字形状となるように形成されていてもよい。
【０００８】
本発明の第２の観点に係るブロックの製造方法は、
道路に設置され、前記道路の舗装面との境界に接する部分に、境界線に沿う第１溝が形成されているブロックの製造方法であって、
カッター工法により、前記境界線上の目地に、境界線方向に直交する断面において山形の部分の少なくとも一部を内部に有する前記第１溝と、前記道路の舗装部分に形成され、前記境界線に沿う第２溝とを形成する工程を含む。
【０００９】
前記工程では、前記第１溝と前記第２溝とを、前記断面がＷ字形状となるように形成してもよい。
【００１０】
本発明の第３の観点に係るブロックを用いた施工方法は、
道路に設置され、前記道路の舗装面との境界に接する部分に、境界線に沿う第１溝が形成されているブロックを用いた施工方法であって、
前記道路に前記ブロックを設置する第１工程と、
カッター工法により、前記境界線上の目地に、境界線方向に直交する断面において山形の部分の少なくとも一部を内部に有する前記第１溝と、前記道路の舗装部分に形成され、前記境界線に沿う第２溝とを形成する第２工程と、
を含む。
【００１１】
前記第２工程では、前記第１溝と前記第２溝とを、前記断面がＷ字形状となるように形成してもよい。
【００１２】
前記第２工程により形成された前記第１溝及び前記第２溝の内面の一部に、防草シートを被覆させる第３工程と、
前記第１溝及び前記第２溝に、補修材を充填する第４工程と、
を含んでもよい。
【発明の効果】
【００１３】
本発明によれば、道路の舗装面との境界線上の目地における防草効果を図ることができる。
【図面の簡単な説明】
【００１４】
【図１】本発明の防草シートを捲装した状態の斜視図
【図２】本発明の防草シートの要部であって、フラットな状態の一例の一部欠截の拡大斜視図
【図３−１】本発明の防草シートの要部であって、倒Ｖ字形にした状態の起立性が確保された一例の斜視図
【図３−２】図３−１において、コンクリートの防草傾斜面に、防草シートを包被（被覆）、又は展着した状態の拡大断面図
【図４−１】道路のコンクリートと、ブロックとの目地に、Ｗ字形の切込み溝を形成した状態の一例の俯瞰図
【図４−２】道路のコンクリートと、ブロックとの目地に、Ｗ字形の切込み溝を形成し、防草シートを包被し、補修材の充填前の状態の一例の俯瞰図
【図５】図４−２の別の第１の例の断面図
【図６】図４−２の別の第２の例の断面図
【図７】図４−２の別の第３の例の断面図
【図８】図４−２の別の第４の例の断面図
【図９】図４−２の別の第５の例の断面図
【図１０】図４−２の別の第６の例の断面図
【発明を実施するための形態】
【００１５】
以下、本発明の好ましい、各実施例を説明する。
【００１６】
図１、図２と、図３−１は、防草シート１を示しており、この防草シート１は、少なくとも、耐腐食性と耐久性を有し、害のない材質である樹脂素材、必要により、金属素材も有り得る。又は紙製の表面コーティング素材で、かつ可撓性と、弾性、又は起立性（倒Ｖ字形に折り曲げた状態で立ち上げることをいう。以下同じ。）を備える。この起立性は、後述するコンクリート、及び／又は、ブロックの防草傾斜面に、包被（被覆）、又は展着する際において、形状確保と、設置の容易化・確実性が達成される。
【００１７】
そして、帯状の本体部１００の長手方向Ｘ（捲装方向）の、例えば、中心１００ａには、折曲げ用の切込み１０１を備えている。この切込み１０１は、本体部１００の長手方向Ｘの全長に設けられている。また、切込み１０１の幅方向Ｙの両側には、補助切込み１０２ａ、１０２ｂが設けられており、補助切込み１０２ａ、１０２ｂは、切込み１０１と同様に全長に到る。また、補助切込み１０２ａ、１０２ｂは、切込み１０１に対して、切込み深さが浅く、製作時のガイドともなる。また、一例として、切込み１０１と、補助切込み１０２ａ、１０２ｂとは、本体部１００の表面１００ｂに切り込まれており、折曲げの容易化を意図する。そして、本体部１００は、後述する倒Ｖ、倒Ｌ、ヘ地等の折曲げができる。また、本体部１００の切込み１０１は、中心１００ａの位置に、限定されない。
【００１８】
以上の構成を採用することで、図３−２、又は図４−１、図４−２に示すように、倒Ｖ字形、倒Ｌ字形、ヘ字形に折曲げた（折込んだ）倒Ｖ（各図参照）、倒Ｌ（図１０参照）、ヘ字（図８参照）等の本体部１００を備えた防草シート１（少なくとも、倒Ｖ字形、倒Ｌ字形の状態で使用する防草シート１）で、コンクリート１０か、図示しないが、ブロック１１、又は舗装１１ａ（以下、ブロック１１とする）とか、更には、コンクリート１０・舗装１１ａ（以下、コンクリート１０とする）、及び／又は、ブロック１１の目地Ｒ１に掘削、又は当初より形成した倒Ｖ字形、倒Ｌ字形（以下、倒Ｖ字形とする）の切込み溝１２か、後述するカッター工法で形成した切込み溝１２は、例えば、倒Ｖ字形の防草傾斜面１３（１３）、及び／又は、倒Ｖ字形の傾斜面の長さＬ（Ｌ）を備えている。これにより、防草傾斜面１３、及び／又は、倒Ｖ字形の傾斜面の長さＬは、根の屈地性１３００と、芽の屈光性１３０１とによる防草効果が発揮される。防草傾斜面１３は、例えば、７０°前後の傾斜を備えることと、及び／又は、長さＬは、４〜６ｃｍとすることがよい。そして、この屈地性１３００を備えた防草傾斜面１３を、防草シート１の倒Ｖ字形の本体部１００により、包被（被覆）、又は展着等する（以下、包被（被覆）及び展着等を総称して「包被」という）。そして、この包被後、本体部１００と、コンクリート１０の防草傾斜面１３との上（空間１５）には、各種の補修材１４を充填し、コンクリート１０と面一にする。この防草傾斜面１３の上に、本体部１００を包被することで、防草傾斜面１３と本体部１００との間に隙間Ｈが形成されても、この両者の間においては、ともに根の屈地性１３００と、芽の屈光性１３０１とが発揮され、防草効果が図れる。
【００１９】
尚、図４−１は、道路Ｒの走行方向に、連続して施工されたコンクリート１０と、ブロック１１との目地Ｒ１に、一枚の倒Ｖの刃物によるカッター工法（図示せず）で、Ｗ字形の切込み溝１２を形成した一例であり、図４−２は、Ｗ字形の下向き切込み溝１２の、長手方向Ｘの倒山形の部位に、防草シート１を包被し、補修材１４の充填前の状態を示している。
【００２０】
続いて、図４−２の好ましい施工例を、図５の別の第１例〜図１０の別の第６例（第１例〜第６例）を用いて、順次、説明する。
【００２１】
図５の一例では、道路Ｒのコンクリート１０と、ブロック１１との目地Ｒ１に、一枚刃物のコンクリートカッター工法（図示せず。以下同じ。以下、「一枚刃物カッター工法」という）で、倒Ｖ字形にカットする（切込む）ことで、単列方式（限定されない。以下、同じ）の倒Ｖ字形（山形形状）の切込み溝１２を形成する。即ち、コンクリート１０の表面（図示せず）か、コンクリート１０の表面とブロック１１の表面との目地Ｒ１に、下向き第１傾斜切込みライン１２００、及び下向き第２傾斜切込みライン１２０１を形成して、カットした箇所のコンクリート１０と、ブロック１１等をはつり（以下省略）、倒Ｖ字形の切込み溝１２（切込み山形溝）を形成する。この切込み溝１２に、防草シート１を包被し、その後、補修材１４を充填し、施工完了した状態の一例の拡大断面図を示しており、前述の図４−２に準ずる。尚、切込み溝１２は、コンクリート１０等の表面からの深さは、原則として、自由である（他の各例も同じ）。そして、図３−２等のように、舗装面Ａと、山形１６００の頂面との間には、段差Ｂが形成される。この段差Ｂと切込み溝１２との空間に、補修材１４を充填し、かつ補修材１４等を転圧する。
【００２２】
図６の一例では、道路Ｒのコンクリート１０と、ブロック１１（例えば、境界ブロック）との目地Ｒ１に、一枚刃物カッター工法で、複数回のカットを利用し（他の各例も同じ）、深掘り（例えば、図５に対して）単列方式の倒Ｖ字形の切込み溝１２を形成する。この切込み溝１２に、防草シート１を包被し、その後、補修材１４を充填し、施工完了した状態の一例の拡大断面図を示しており、前述の図４−２に準ずる。尚、図示の如く、この一例では、コンクリート１０と、ブロック１１とは、面一構造である。この面一構造の際には、例外として、前述の一枚の倒Ｖの刃物によるカッター工法（以下、「倒Ｖ刃物カッター工法」という）でも可能である。
【００２３】
図７の一例では、道路Ｒのコンクリート１０と、ブロック１１との目地Ｒ１に、一枚刃物カッター工法で、クロス状に傾斜切込みライン１２０２をカットし、単列方式のＸ字形の切込み溝１２を形成する。この切込み溝１２に、防草シート１を包被し、その後、補修材１４を充填し、施工完了した状態の一例の拡大断面図を示しており、前述の図４−２に準ずる。この例では、その他は、前述の図６に準ずる。
【００２４】
図８の一例では、道路Ｒのコンクリート１０と、ブロック１１との目地Ｒ１に、一枚刃物カッター工法で、傾斜切込みライン１２０２をカットし、この傾斜切込みライン１２０２に垂直方向から切込みライン１２０３をカットし、端面視して、略ヘ字形を呈する単列方式の切込み溝１２を形成する。この切込み溝１２に、防草シート１を包被し、その後、補修材１４を充填していく、施工完了前の状態の一例の拡大断面図を示しており、前述の図４−２に準ずる。この例では、その他は、前述の図６に準ずる。そして、本発明の防草シート１は、切込み１０１より、任意な角度に、折曲げ可能であり、この例の如く、略ヘ字形の切込み溝１２でも対応できる。即ち、防草シート１は、略全ての傾斜切込みラインに１２０２等、及び／又は、切込み溝１２の形態に対応できる特徴がある。
【００２５】
図９の一例では、道路Ｒのコンクリート１０か、ブロック１１かの、何れかの目地Ｒ１となる箇所に、防草用の傾斜窪み部１２０４を、対で形成した一例である。この傾斜窪み部１２０４に、防草シート１を包被し、その後、補修材１４を充填しつつ、施工完了の状態の一例の拡大断面図を示しており、前述の図４−２に準ずる。この例では、その他は、前述の図６に準ずる。
【００２６】
図１０の一例は、地面Ｒ２に設けた山形の防草傾斜面１６（山形防草傾斜面）を連設して設けた構造であり、山形防草傾斜面１６で形成した複列方式（限定されない。以下、同じ）の倒Ｖの山形１６００、防草シート１を包被し、その後、ブロック１１と、コンクリート１０、及び／又は、補修材１４を充填しつつ、施工完了の状態の一例の拡大断面図を示しており、前述の図４−２に準ずる。この位置例においては、防草効果は、前述の各一例に準ずる。尚、防草シート１の包被作業は、一列とか数列も有り得る（他の一例も同じ）。段差Ｂを複数有する例である。この例では、防草シート１を設ける箇所は、原則として、自由である。一山、又は複数山等である。また山が、幅方向Ｙで繋がる（連設、及び／又は、連設は長手方向Ｘで貫設することも可能である）構造も有り得える（他の実施例も同じ）。
【００２７】
以上、本発明の好ましい実施形態について説明したが、本発明は係る特定の実施形態に限定されるものではなく、本発明には、特許請求の範囲に記載された発明とその均等の範囲とが含まれる。
【００２８】
下記付記に係る発明は、防草シートの設置方法と、その防草シートに関する。
【００２９】
この種の道路のコンクリートと、ブロックとの目地とか、その他の目地に形成した防草用の倒Ｖ字形の切込み溝に、倒Ｖ字形の防草シートを布設する防草シートの設置方法として、本出願人の一人が提出する特許第４８７４９２７号の特許発明がある。この発明の概要は、コンクリートカッターで境界目地の表面を頂点に下向き第一傾斜切込みライン、及び下向き第二傾斜切込みラインを切削し、略倒Ｖ字形の下向き切込み山形溝を形成し、下向き切込み山形溝に相似形の略山形形状の防草板を挿入し、下向き切込み山形溝と略山形形状の防草板との隙間（Ｈ１）には、接着剤等の充填剤を注入する工法である。防草板の材質は、耐腐食性と耐久性を有し、害のない材質である。しかし、下向き切込み山形溝と略山形形状の防草板との隙間（Ｈ１）に、充填剤を注入する空気溜りがあって、ひび割れが発生する場合があった。
【００３０】
そこで、充填剤を無くし、かつ空気が入らない目地の防草シート構造を提案する。即ち、目地の隙間から雑草が成長することを防止できる合成樹脂製の防草シート、防草板等に関する先行文献を示す。
【００３１】
文献（１）は、特開２０１６−１０８７４８号公報（防草具及びそれを用いた防草構造）であって、新設・改修工事の時に利用する合成樹脂やゴムでなる遮蔽部において、空気溜りを防ぐ膨出構造が開示されている（図３参照）。しかしながら、付記に係る発明が意図する「防草用の倒Ｖ字形の切込み溝に、倒Ｖ字形の防草シートを布設する」構造ではない。
【００３２】
また、文献（２）は、特開２０１４−０９８２３１号公報（コンクリート構造物の目地防草構造）であって、防草板の緩衝材本体の壁面から外側に突出した防草板であって、この防草板は、傾斜角を７０°の下向きに傾斜されており、かつ施工時において、防草板は、走行方向において、水平面に対する傾斜角を３°以内とした状態で布設する構造である。従って、前述した、付記に係る発明の構造は備えていない。
【００３３】
上記に鑑み、付記に係る発明では、空気溜りの隙間（Ｈ１）を無くすことと、接着剤等の充填剤を注入しない構造の防草シートの設置方法と、その構造を提供する。即ち、埋め戻し時において、補修材を確実に充填することと、転圧作業で、防草用の倒Ｖ字形の切込み溝に、倒Ｖ字形の防草シートを、隙間なく埋設する（付設する）ことを特徴とする。
【００３４】
（付記１）
道路の走行方向に敷設したコンクリート（アスファルトを含む）か、又はコンクリートと、ブロックとの目地とか、その他の目地に形成した防草用の切込み溝であって、この切込み溝は、前記走行方向に単列か、又は前記走行方向の直交方向に複列かに形成し、
この切込み溝は、倒Ｖ、倒Ｌ、ヘ字形の折曲げ形態を呈しており、この倒Ｖ、倒Ｌ、ヘ字の折曲げ形態に添うようにして、倒Ｖ字形、倒Ｌ字形、ヘ字形の防草シートを包被、又は展着することを特徴とした防草シートの設置方法。
【００３５】
（付記２）
前記防草シートは、樹脂製であり、その長手方向の中心位置に、倒Ｖ形に折曲できる切込みを設けることを特徴とした付記１に記載の防草シートの設置方法。
【００３６】
（付記３）
前記切込みの前記長手方向の両側に、補助切込みを形成することを特徴とした付記１に記載の防草シートの設置方法。
【００３７】
（付記４）
前記補助切込みの切込み深さは、前記切込みの切込み深さに対して、浅くすることを特徴とした付記１に記載の防草シートの設置方法。
【００３８】
（付記５）
前記防草シートは、前記長手方向において、長尺形態であって、前記道路の切込み溝の長さを考慮し、カットして使用可能とすることを特徴とした付記１に記載の防草シートの設置方法。
【００３９】
（付記６）
前記切込み溝は、コンクリートカッター（アスファルトカッターを含む切断機）で境界目地に、複数本の傾斜切込みラインを切削し、はつり作業を行い、倒Ｖ字形の切込み溝を形成し、この倒Ｖ字形の切込み溝に、前記防草シートを包被、又は展着することを特徴とした付記１に記載の防草シートの設置方法。
【００４０】
（付記７）
前記切込み溝は、コンクリートカッターで境界目地の表面を頂点に下向き第１傾斜切込みライン（傾斜切込みライン）、及び下向き第２傾斜切込みライン（傾斜切込みライン）を切削し、はつり作業を行い、倒Ｖ字形の切込み山形溝を形成し、この倒Ｖ字形の切込み山形溝に、前記防草シートを包被、又は展着することを特徴とした付記１に記載の防草シートの設置方法。
【００４１】
（付記８）
前記防草シートの材質は、耐腐食性と耐久性を有し、害のない材質であることを特徴とした付記１に記載の防草シートの設置方法。
【００４２】
付記に係る発明は、前述の課題を解決し、かつ本発明の目的を達成することを意図して、付記１−８を開示する。
【００４３】
付記１の発明は、道路の走行方向に敷設したコンクリートか、又はコンクリートと、ブロックとの目地とか、その他の目地に形成した防草用の切込み溝であって、切込み溝は、走行方向に単列か、又は走行方向の直交方向に複列かに形成し、
切込み溝は、倒Ｖ、倒Ｌ、ヘ字形の折曲げ形態を呈しており、倒Ｖ、倒Ｌ、ヘ字の折曲げ形態に添うようにして、倒Ｖ字形、倒Ｌ字形、ヘ字形の防草シートを包被、又は展着する（設置する。以下同じ）防草シートの設置方法であるので、埋め戻し時において、補修材を確実に充填できることと、転圧作業で、防草用の倒Ｖ字形の切込み溝に、倒Ｖ字形の防草シートを、隙間なく埋設できる（付設できる）こと等の特徴がある。また、倒Ｖ字形の防草シートは、原則として、充填材を使用しないことから、隙間の発生もなく、後処理の容易化と、コンクリート、ブロック、及び／又は、補修材等の損傷回避が図れる。
【００４４】
付記２の発明は、防草シートは、樹脂製であり、長手方向の中心位置に、倒Ｖ形に折曲できる切込みを設ける防草シートの設置方法であるので、防草シートは、保管、移動時には、フラットにできることと、捲装状態が確保でき、容易な保管と作業となる特徴がある。その他は、付記１の特徴等に準ずる。
【００４５】
付記３の発明は、切込みの前記長手方向の両側に、補助切込みを形成することを特徴とした防草シートの設置方法であるので、防草シートの容易な折曲ができる。その他は、付記１・２の特徴等に準ずる。
【００４６】
付記４の発明では、補助切込みの切込み深さは、切込みの切込み深さに対して、浅くすることを特徴とした防草シートの設置方法であるので、付記１−３の特徴等に準ずる。
【００４７】
付記５の発明では、防草シートは、長手方向において、長尺形態であって、道路の切込み溝の長さを考慮し、カットして使用可能とする防草シートの設置方法であるので、防草シートは、保管、移動時には、フラットにできることと、捲装状態が確保でき、容易な保管と作業となる特徴がある。その他は、付記１の特徴等に準ずる。
【００４８】
付記６の発明では、切込み溝は、コンクリートカッターで境界目地に、複数本の傾斜切込みラインを切削し、はつり作業を行い、倒Ｖ字形、又はＷ字形の切込み溝を形成し、倒Ｖ字形、又はＷ字形の切込み溝に、防草シートを包被、又は展着することを特徴とした防草シートの設置方法であるので、付記１の特徴等に準ずる。また、付記１の特徴を達成できる切込み溝の構造を提示できる。
【００４９】
付記７の発明では、切込み溝は、コンクリートカッターで境界目地の表面を頂点に下向き第１傾斜切込みライン（傾斜切込みライン）、及び下向き第２傾斜切込みライン（傾斜切込みライン）を切削し、はつり作業を行い、倒Ｖ字形、又はＷ字形の切込み山形溝を形成し、倒Ｖ字形、又はＷ字形の下向き切込み山形溝に、防草シートを包被、又は展着することを特徴とした防草シートの設置方法であるので、付記１の特徴等に準ずる。また、付記１の特徴を達成できる、最適な、切込み溝の構造を提示できる。
【００５０】
付記８の発明では、防草シートの材質は、耐腐食性と耐久性を有し、害のない材質である防草シートの設置方法であるので、付記１−７の特徴等に準ずる。
【符号の説明】
【００５１】
１    防草シート
１００    本体部
１００ａ    中心（長手方向Ｘ）
１００ｂ    表面
１０１    切込み
１０２ａ    補助切込み
１０２ｂ    補助切込み
１０    コンクリート
１１    ブロック
１１ａ    舗装
１２    切込み溝
１２００    第１傾斜切込みライン
１２０１    第２傾斜切込みライン
１２０２    傾斜切込みライン
１２０３    切込みライン
１２０４    傾斜窪み部
１３    防草傾斜面
１３００    屈地性
１３０１    屈光性
１４    補修材
１５    空間
１６    山形防草傾斜面
１６００    山形
Ａ    舗装面
Ｂ    段差
Ｈ    隙間
Ｘ    長手方向
Ｙ    幅方向
Ｒ    道路
Ｒ１    目地
Ｒ２    地面
【図１】
2020051252.tif 000003
【図２】
2020051252.tif 000004
【図３−１】
2020051252.tif 000005
【図３−２】
2020051252.tif 000006
【図４−１】
2020051252.tif 000007
【図４−２】
2020051252.tif 000008
【図５】
2020051252.tif 000009
【図６】
2020051252.tif 000010
【図７】
2020051252.tif 000011
【図８】
2020051252.tif 000012
【図９】
2020051252.tif 000013
【図１０】
2020051252.tif 000014